(57)【要約】【課題】  ＶｏＩＰを用いた音声通信を行うＩＰ網において、ルータと呼制御サーバとが連携して輻輳制御を行うことにより、ルータ及び呼制御サーバの負荷を低減する。【解決手段】  ＰＳＴＮ網１０１とＩＰ網１０２とがＭＧ１１３により接続される音声通信ネットワークの下で、ＶｏＩＰを用いて音声通信を実現するＩＰ網１０２を構成する。ルータ１２４は、転送系システムの輻輳を検出し、「ルータ→ＣＡ（ＳＳ）規制要求信号」をＣＡ（ＳＳ）１１２へ送信する。ＣＡ（ＳＳ）１１２は、「ルータ→ＣＡ（ＳＳ）規制要求信号」を受信し、当該信号に基づいて輻輳規制の設定を実施し、呼の転送規制を実施する。【選択図】図３
2005311593.tif 000002
【特許請求の範囲】
【請求項１】
音声通信を確立するための呼制御を行う呼制御サーバと、ルータ及びスイッチを含む転送系システムとにより、ＶｏＩＰを用いて音声情報を転送するＩＰ網において、
輻輳を検出したルータから輻輳制御信号を受信する受信手段と、当該輻輳制御信号に基づいて輻輳規制を設定する設定手段と、当該設定された輻輳規制により、受信する呼に対して転送を規制する規制手段とを有することを特徴とする呼制御サーバ。
【請求項２】
請求項１に記載の呼制御サーバにおいて、
前記輻輳制御信号を、異なる輻輳規制が設定される複数種類の信号とし、
前記設定手段は、輻輳制御信号の種類に応じてそれぞれ異なる輻輳規制を設定することを特徴とする呼制御サーバ。
【請求項３】
請求項２に記載の呼制御サーバにおいて、
前記設定手段が設定する輻輳規制は、前記ルータにルーチングされる接続のうちの全部の接続の規制、一部の接続の規制、特定の呼以外の呼による接続の規制、特定の対地以外の対地への接続の規制、及び特定の発信元以外の発信元からの接続の規制のうちの少なくとも一つの規制を含むことを特徴とする呼制御サーバ。
【請求項４】
請求項１から３までのいずれか一項に記載の呼制御サーバにおいて、
前記設定手段は、予め輻輳規制を定義して用意した設定パターンを用いて、輻輳規制を設定することを特徴とする呼制御サーバ。
【請求項５】
請求項１から４までのいずれか一項に記載の呼制御サーバにおいて、
前記設定手段は、輻輳制御信号に基づいて輻輳規制を設定し、さらに、予め用意した条件に従って、前記輻輳規制のうちの全部または一部を新たな輻輳規制として設定し、
前記規制手段は、当該設定された新たな輻輳規制により、受信する呼に対して転送を規制することを特徴とする呼制御サーバ。
【請求項６】
音声通信を確立するための呼制御を行う呼制御サーバと、ルータ及びスイッチを含む転送系システムとにより、ＶｏＩＰを用いて音声情報を転送するＩＰ網において、
請求項１から５までのいずれか一項に記載の呼制御サーバ、
及び、前記転送系システムの輻輳を検出する検出手段と、前記輻輳制御信号を呼制御サーバへ送信する送信手段とを有するルータを備えたことを特徴とする輻輳制御システム。
【請求項７】
音声通信を確立するための呼制御を行う呼制御サーバと、ルータ及びスイッチを含む転送系システムとにより、ＶｏＩＰを用いて音声情報を転送するＩＰ網において、
さらに、請求項６に記載の呼制御サーバが有する受信手段、設定手段、規制手段、及び前記ルータが有する検出手段並びに送信手段のうちの全部または一部の手段を有する制御サーバを備え、
当該制御サーバは、呼制御サーバ及び／またはルータに代えて、前記手段を実現することを特徴とする輻輳制御システム。
【請求項８】
音声通信を確立するための呼制御を行う呼制御サーバと、ルータ及びスイッチを含む転送系システムとにより、ＶｏＩＰを用いて音声情報を転送するＩＰ網において、
輻輳を検出したルータから呼制御サーバへ輻輳制御信号を送信するステップと、呼制御サーバが当該輻輳制御信号に基づいて輻輳規制を設定するステップと、当該設定された輻輳規制により、受信する呼に対して転送を規制するステップとを有することを特徴とする輻輳制御方法。
【請求項９】
請求項８に記載の輻輳制御方法において、
前記ルータから呼制御サーバへ送信される輻輳制御信号を、異なる輻輳規制が設定される複数種類の信号とし、
前記輻輳規制を設定するステップを、輻輳制御信号の種類に応じてそれぞれ異なる輻輳規制を設定するステップとすることを特徴とする輻輳制御方法。
【請求項１０】
請求項９に記載の輻輳制御方法において、
前記呼制御サーバが設定する輻輳規制は、前記ルータにルーチングされる接続のうちの全部の接続の規制、一部の接続の規制、特定の呼以外の呼による接続の規制、特定の対地以外の対地への接続の規制、及び特定の発信元以外の発信元からの接続の規制のうちの少なくとも一つの規制を含むことを特徴とする輻輳制御方法。
【請求項１１】
請求項８から１０までのいずれか一項に記載の輻輳制御方法において、
前記輻輳規制を設定するステップを、予め輻輳規制を定義して用意した設定パターンを用いて輻輳規制を設定するステップとすることを特徴とする輻輳制御方法。
【請求項１２】
請求項８から１１までのいずれか一項に記載の輻輳制御方法において、
前記輻輳規制を設定するステップを、輻輳制御信号に基づいて輻輳規制を設定し、さらに、予め用意した条件に従って、前記輻輳規制のうちの全部または一部を新たな輻輳規制として設定するステップとし、
当該転送を規制するステップを、前記新たな輻輳規制により、受信する呼に対して転送を規制するステップとすることを特徴とする輻輳制御方法。
【発明の詳細な説明】
【技術分野】
【０００１】
本発明は、ＩＰ（Ｉｎｔｅｒｎｅｔ  Ｐｒｏｔｏｃｏｌ）電話網におけるネットワーク輻輳防止技術に関し、特に、ルータとサーバとが連携して実現する輻輳制御の技術に関するものである。
【背景技術】
【０００２】
従来、インターネット等のＩＰ網と公衆電話交換網であるＰＳＴＮ（Ｐｕｂｌｉｃ  Ｓｗｉｔｃｈｅｄ  Ｔｅｌｅｐｈｏｎｅ  Ｎｅｔｗｏｒｋ）網とを接続し、音声データをＩＰパケットとして送受信することにより音声通信を可能にしたネットワークが利用されている。図１は、一般的な音声通信ネットワークを示すシステム構成図である。この音声通信ネットワークは、ＰＳＴＮ網１及びＩＰ網２により構成される。ＩＰ網２は、ＰＳＴＮ網１とＩＰ網２とを接続するＭＧ（Ｍｅｄｉａ  Ｇａｔｅｗａｙ／メディアゲートウェイ）１３、ＣＡ（Ｃａｌｌ  Ａｇｅｎｔ／コールエージェント）のゲートウェイサーバであるＣＡ（ＧＷ）１１、ＣＡのＳＩＰ（Ｓｅｓｓｉｏｎ  Ｉｎｉｔｉａｔｉｏｎ  Ｐｒｏｔｏｃｏｌ）サーバであるＣＡ（ＳＳ）１２、及びＩＰパケットを中継するルータ２１〜２４を備えている。また、ＩＰ網２のルータ２４には、ＨＧＷ（Ｈｏｍｅ  Ｇａｔｅｗａｙ／ホームゲートウェイ）３１を介して電話機４１、及びＶｏＩＰ（Ｖｏｉｃｅ  ｏｖｅｒ  ＩＰ）−ＴＡ（Ｔｅｒｍｉｎａｌ  Ａｄａｐｔｅｒ）３２を介して電話機４２がそれぞれ接続される。
【０００３】
ＩＰ網２のＣＡ（ＧＷ）１１及びＣＡ（ＳＳ）１２は、ＰＳＴＮ網１に接続された図示しない電話機やＩＰ網に接続された電話機４１，４２からの要求に従った呼制御により、電話番号の翻訳やルーチング設定等を行う。また、ＣＡ（ＧＷ）１１は、自網であるＩＰ網２と他網であるＰＳＴＮ網１との間でＩＳＵＰ（ＩＳＤＮ  Ｕｓｅｒ  Ｐａｒｔ）信号をインターワークする。ここで使用される呼制御プロトコルは、ＩＴＵ−Ｔ勧告Ｈ．３２３、ＭＥＧＡＣＯ（Ｍｅｄｉａ  Ｇａｔｅｗａｙ  Ｃｏｎｔｒｏｌ  Ｐｒｏｔｏｃｏｌ）、ＳＩＰ等である。
【０００４】
ＩＰ網２のルータ２１〜２４は、ＩＰアドレス、ラベルまたはテーブルに従ってＩＰパケットの交換を行う転送系システムであり、ＣＡ（ＳＳ）１２等と共に音声情報を転送するＩＰ網２を構成する。ここで使用されるルーチングプロトコルは、ＲＩＰ（Ｒｏｕｔｉｎｇ  Ｉｎｆｏｒｍａｔｉｏｎ  Ｐｒｏｔｏｃｏｌ）、ＯＳＰＦ（Ｏｐｅｎ  Ｓｈｏｒｔｅｓｔ  Ｐａｔｈ  Ｆｉｒｓｔ）、ＭＰＬＳ（Ｍｕｌｔｉｐｒｏｔｏｃｏｌ  Ｌａｂｅｌ  Ｓｗｉｃｈｉｎｇ）等である。
【０００５】
このような音声通信ネットワークにおいて、ＩＰ網２内のルータ２１〜２４やスイッチ（図示せず）等により構成される転送系システムに輻輳が発生した場合、一般に、ルータ２１〜２４はそれぞれ単独で輻輳制御を行う。すなわち、ルータ２１〜２４は、単独でＱｏＳ（Ｑｕａｌｉｔｙ  ｏｆ  Ｓｅｒｖｉｃｅ）制御を行い、クラス識別子に従った優先制御を行う。この場合、ＣＡ（ＳＳ）１２と連携した接続規制や優先制御を行っていない。つまり、ＣＡ（ＳＳ）１２に輻輳が発生していなくても単独で輻輳制御を行い、ＣＡ（ＳＳ）１２の処理に余裕があったとしても輻輳制御を行ってしまう。図２は、ルータ２１〜２４における輻輳制御を説明する機能ブロック図である。ルータ２１〜２４は、以下の輻輳制御を行う。
２−１）物理ポート、パケットヘッダ等によりマイクロフローの識別を実施する。
２−２）マイクロフロー毎の流量監視によりカラーリングを行い、各サービスクラスへのマッピング（ポリシング）を実施する。
２−３）各クラスに応じた優先制御を実施し、必要に応じてＩＰパケットを廃棄する。この場合、ＩＰパケットの廃棄基準はＣＡ（ＳＳ）１２と連携した基準ではないため、その優先制御はＣＡ（ＳＳ）１２の負荷と無関係に行われる。
２−３−１）カラー及び廃棄閾値に応じて廃棄制御を実施する。
２−３−２）ＥＦクラスのＩＰパケットに対しては固定優先的に転送し、ＡＦクラスのＩＰパケットに対してはＷＲＲ（Ｗｅｉｇｈｔ  Ｒｏｕｎｄ  Ｒｏｂｉｎ  Ｑｕｅｕｉｎｇ）方式により優先制御を実施する。
２−３−３）各ポート毎に２クラスのプライオリティを有し、ポート間の優先制御を実現する。
【０００６】
一方、複数の電話網と複数のパスから構成されるＩＰ網とが接続されるＶｏＩＰネットワークにおいて、効率的な輻輳制御を行う技術が開示されている。具体的には、電話網からＩＰ網へ流入するトラフィックデータ信号からゲートウェイ間のトラフィック分布を蓄積し、ＩＰ網内の各パスのパケット流量データからパスの輻輳状態を判定する。そして、輻輳状態にあるパスについてトラフィック発生源となる電話網を制御し、ＩＰ網へ流入するトラフィックを抑止するものである。この場合、電話網内に輻輳規制装置及びトラフィック収集装置、ＩＰ網内にパケット流量測定装置、及び輻輳管理装置がそれぞれ必要になる。
【０００７】
【特許文献１】特開２００２−２６１９２５号公報（請求項１）
【発明の開示】
【発明が解決しようとする課題】
【０００８】
このように、図２に示したルータ２１〜２４はそれぞれ単独に輻輳制御を行っており、ＣＡ（ＳＳ）１２と連携した輻輳制御は行っていない。また、一般に、ルータ２１〜２４の容量の方がＣＡ（ＳＳ）１２の容量よりも大きい。このため、ＣＡ（ＳＳ）１２の入力ポートには、多数の接続要求呼を始めとする多数のＩＰパケットが到着することになる。そして、ＣＡ（ＳＳ）１２は、ルータ２１〜２４の処理能力が限界になるまで負荷がかかり続け、ＣＡ（ＳＳ）１２における輻輳が長期化することになる。この場合、ＣＡ（ＳＳ）１２には処理不能で無効なＩＰパケットが継続的に送信されるため、ＣＡ（ＳＳ）１２は、そのＩＰパケットを廃棄しても、配信元からの再送信等により負荷がかかる状態が継続してしまう。従って、ＩＰ網２にはこのような多数の無効なＩＰパケットが転送されるため、ＣＡ（ＳＳ）１２のみならずルータ２１〜２４においても処理能力を無駄に消費しているという問題があり、ＩＰ網２のネットワーク全体で輻輳制御を行うことが要望されていた。また、上述の特許文献１の技術では、輻輳制御を実現するために複数の装置が別途必要になり、構成が複雑になってしまう。このため、複数の装置を必要としない簡易な構成とすることが望ましい。
【０００９】
そこで、本発明は上記の課題を解決するためになされたものであり、その目的は、ルータと呼制御サーバとが連携して輻輳制御を行うことにより、ルータ及び呼制御サーバの負荷を低減可能な呼制御サーバ、輻輳制御システム及び方法を提供することにある。
【課題を解決するための手段】
【００１０】
本発明の呼制御サーバは、音声通信を確立するための呼制御を行う呼制御サーバと、ルータ及びスイッチを含む転送系システムとにより、ＶｏＩＰを用いて音声情報を転送するＩＰ網において、輻輳を検出したルータから輻輳制御信号を受信する受信手段と、当該輻輳制御信号に基づいて輻輳規制を設定する設定手段と、当該設定された輻輳規制により、受信する呼に対して転送を規制する規制手段とを有することを特徴とする。
【００１１】
また、本発明の呼制御サーバは、前記輻輳制御信号を、異なる輻輳規制が設定される複数種類の信号とし、前記設定手段が、輻輳制御信号の種類に応じてそれぞれ異なる輻輳規制を設定することを特徴とする。また、前記設定手段が設定する輻輳規制は、前記ルータにルーチングされる接続のうちの全部の接続の規制、一部の接続の規制、特定の呼以外の呼による接続の規制、特定の対地以外の対地への接続の規制、及び特定の発信元以外の発信元からの接続の規制のうちの少なくとも一つの規制を含むことを特徴とする。
【００１２】
また、本発明の呼制御サーバは、前記設定手段が、予め輻輳規制を定義して用意した設定パターンを用いて、輻輳規制を設定することを特徴とする。また、前記設定手段が、輻輳制御信号に基づいて輻輳規制を設定し、さらに、予め用意した条件に従って、前記輻輳規制のうちの全部または一部を新たな輻輳規制として設定し、前記規制手段が、当該設定された新たな輻輳規制により、受信する呼に対して転送を規制することを特徴とする。
【００１３】
本発明の輻輳制御システムは、前記呼制御サーバ、及び、前記転送系システムの輻輳を検出する検出手段と、前記輻輳制御信号を呼制御サーバへ送信する送信手段とを有するルータを備えたことを特徴とする。また、さらに、前記呼制御サーバが有する受信手段、設定手段、規制手段、及び前記ルータが有する検出手段並びに送信手段のうちの全部または一部の手段を有する制御サーバを備え、当該制御サーバが、呼制御サーバ及び／またはルータに代えて、前記手段を実現することを特徴とする。
【００１４】
本発明の輻輳制御方法は、音声通信を確立するための呼制御を行う呼制御サーバと、ルータ及びスイッチを含む転送系システムとにより、ＶｏＩＰを用いて音声情報を転送するＩＰ網において、輻輳を検出したルータから呼制御サーバへ輻輳制御信号を送信するステップと、呼制御サーバが当該輻輳制御信号に基づいて輻輳規制を設定するステップと、当該設定された輻輳規制により、受信する呼に対して転送を規制するステップとを有することを特徴とする。
【００１５】
また、本発明の輻輳制御方法は、前記ルータから呼制御サーバへ送信される輻輳制御信号を、異なる輻輳規制が設定される複数種類の信号とし、前記輻輳規制を設定するステップを、輻輳制御信号の種類に応じてそれぞれ異なる輻輳規制を設定するステップとすることを特徴とする。また、前記呼制御サーバが設定する輻輳規制は、前記ルータにルーチングされる接続のうちの全部の接続の規制、一部の接続の規制、特定の呼以外の呼による接続の規制、特定の対地以外の対地への接続の規制、及び特定の発信元以外の発信元からの接続の規制のうちの少なくとも一つの規制を含むことを特徴とする。
【００１６】
また、本発明の輻輳制御方法は、前記輻輳規制を設定するステップを、予め輻輳規制を定義して用意した設定パターンを用いて輻輳規制を設定するステップとすることを特徴とする。また、前記輻輳規制を設定するステップを、輻輳制御信号に基づいて輻輳規制を設定し、さらに、予め用意した条件に従って、前記輻輳規制のうちの全部または一部を新たな輻輳規制として設定するステップとし、当該転送を規制するステップを、前記新たな輻輳規制により、受信する呼に対して転送を規制するステップとすることを特徴とする。
【発明の効果】
【００１７】
以上のように、本発明によれば、ルータが輻輳を検出した場合に、ルータから呼制御サーバへ輻輳制御信号を送信し、呼制御サーバが輻輳規制を設定し、受信する呼に対して転送を規制するようにした。このように、ルータと呼制御サーバとが連携してＩＰ網全体で輻輳制御を行うようにしたから、ＩＰ網内には無効なＩＰパケットが転送されることがなく、呼制御サーバへ多数のＩＰパケットが転送されることもない。従って、ルータ及び呼制御サーバの負荷を低減し、音声通信を効率良く実現することが可能となる。
【発明を実施するための最良の形態】
【００１８】
以下、本発明の実施の形態について図面により詳細に説明する。
図３は、ルータが輻輳を検出し、ＣＡ（ＳＳ）が輻輳を規制する場合における本発明の概要を説明する図である。音声通信ネットワークは、ＰＳＴＮ網１０１及びＩＰ網１０２により構成される。ＩＰ網１０２は、ＰＳＴＮ網１０１とＩＰ網１０２とを接続するＭＧ１１３、ＣＡ（ＧＷ）１１１、ＣＡ（ＳＳ）１１２、及びルータ１２１〜１２４を備えている。また、ＩＰ網１０２のルータ１２４には、ＨＧＷ１３１を介して電話機１４１、及びＶｏＩＰ−ＴＡ１３２を介して電話機１４２がそれぞれ接続される。ＰＳＴＮ網１０１、ＭＧ１１３、ＨＧＷ１３１、ＶｏＩＰ−ＴＡ１３２及び電話機１４１，１４２は、図１に示したＰＳＴＮ網１、ＭＧ１３、ＨＧＷ３１、ＶｏＩＰ−ＴＡ３２及び電話機４１，４２とそれぞれ同じ機能を有する。
【００１９】
本実施の形態は、ルータ１２１〜１２４が、輻輳を検出して「ルータ→ＣＡ（ＳＳ）規制要求信号」をＣＡ（ＳＳ）１１２へ送信し、ＣＡ（ＳＳ）１１２が、「ルータ→ＣＡ（ＳＳ）規制要求信号」に基づいて輻輳規制の設定を実施し、呼の転送規制を実施するものである。
【００２０】
以下、ルータ１２１〜１２４及びＣＡ（ＳＳ）１１２の処理について、それぞれ詳細に説明する。尚、図３では、ルータ１２４の処理について説明しているが、ルータ１２１〜１２３も同様の処理を行う。
〔輻輳規制要求処理〕
ルータ１２４は、自装置内において、各種のトラヒックや負荷状況（例えば、ＣＣ使用率（システムにおけるプロセッサの使用率））等の測定パラメータを常時監視し、それぞれ監視中の測定パラメータと閾値とを比較する。測定パラメータの値が閾値を超えた場合には、輻輳が発生したものとして、輻輳制御コマンドである「ルータ→ＣＡ（ＳＳ）規制要求信号」をＣＡ（ＳＳ）１１２へ送出する。送出する信号は、以下に示す５通りである。
Ａ．ルータ１２４にルーチングされる全ての接続を規制する要求信号（１）。
Ｂ．ルータ１２４にルーチングされるＹ％の転送を規制する要求信号（２）。
Ｃ．特定の呼（例えば、１１０／１１９のような優先度の高い呼）のみの転送を許可するように規制する要求信号（３）。
Ｄ．特定の対地（ＩＰアドレス、ポート等）のみへの転送を許可するように規制する要求信号（４）。
Ｅ．特定の発信元（発ＩＰアドレス、ポート等）からの信号のみの転送を許可するように規制する要求信号（５）。
【００２１】
ＣＡ（ＳＳ）１１２は、ルータ１２４から送出された「ルータ→ＣＡ（ＳＳ）規制要求信号」を受信すると、以下に示す動作を行うように輻輳制御の設定を実施し、呼を受信した場合に呼の転送規制を実施する。図４は、「ルータ→ＣＡ（ＳＳ）規制要求信号」を説明する図である。尚、ＣＡ（ＳＳ）１１２は、輻輳制御の設定を実施するために、事前に電話番号とルータとが対応したデータベースを保持しているものとする。
Ａ．要求信号（１）を受信した後の動作
データベースを用いて電話番号とルータ１２４との対応を検索し、受信した呼について当該ルータ１２４を経由しないと接続不可能な場合には、当該呼を廃棄する、または別のルータへ転送する。ここで、呼を別のルータへ転送するとは、ＣＡ（ＳＳ）１１２により図３に示したルータ１２１〜１２４以外の別ルートで接続することを意味する。
Ｂ．要求信号（２）を受信した後の動作
データベースを用いて電話番号とルータ１２４との対応を検索し、受信した呼について当該ルータ１２４を経由しないと接続不可能な場合には、当該ルータ１２４宛てに１００−Ｙ＝Ｘ％の転送を行うように呼を許容する。それ以外のＹ％の呼は廃棄する、または別のルータへ転送する。
Ｃ．要求信号（３）を受信した後の動作
電話番号の翻訳を実施する際に、規制対象の呼を呼損とする。
Ｄ．要求信号（４）を受信した後の動作
特定の対地への呼のみを許容し、他の呼は別ルータへ転送する、または呼損とする。
Ｅ．要求信号（５）を受信した後の動作
特定の発信元からの呼のみを許容し、他の呼は別ルータへ転送する、または呼損とする。
【００２２】
このように、ＣＡ（ＳＳ）１１２は、ルータ１２４から送出された「ルータ→ＣＡ（ＳＳ）規制要求信号」を受信し、上述の動作を行うように輻輳制御の設定を実施して完了した後、直ちにまたは予め設定した時間経過後に、受信した呼に対して転送規制を実施する。
【００２３】
また、ＣＡ（ＳＳ）１１２は、前述の「ルータ→ＣＡ（ＳＳ）規制要求信号」に対して、輻輳制御の設定を実施し完了した時点、または転送規制の処理を実施した時点等の任意に設定したタイミングで、「ＣＡ（ＳＳ）規制設定完了信号」をルータ１２４へ送出する。
【００２４】
〔輻輳規制解除処理〕
ルータ１２４は、測定パラメータの値が閾値以下になった場合には、輻輳が無くなったものとして、規制解除要求である「ルータ→ＣＡ（ＳＳ）規制解除要求信号」をＣＡ（ＳＳ）１１２へ送出する。ＣＡ（ＳＳ）１１２は、ルータ１２４から送出された「ルータ→ＣＡ（ＳＳ）規制解除要求信号」を受信すると、前述の輻輳制御の設定を解除し、呼を受信した場合の転送規制を実施しない。ＣＡ（ＳＳ）１１２は、輻輳制御の設定を解除したタイミングで、「ＣＡ（ＳＳ）規制解除完了信号」をルータ１２４へ送出する。
【００２５】
以上のように、本発明の実施の形態によれば、ＣＡ（ＳＳ）１１２と、ルータ１２１〜１２４やスイッチ等による転送系システムとを使用する音声通信ネットワークにおいて、ルータ１２１〜１２４に輻輳が発生した場合には、ＣＡ（ＳＳ）１１２が、受信した呼に対して輻輳規制を実施するようにした。これにより、個々のサーバやルータで処理能力を超えないように輻輳制御を行う従来技術とは異なり、ＩＰ網２全体で輻輳制御を行うから、ＩＰ網２内に無効なＩＰパケットが転送されず、ＣＡ（ＳＳ）１１２及びルータ１２１〜１２４の負荷を軽減することができる。従って、ＩＰ網２全体としてＩＰ電話による音声通信を適切に実現することができる。
【００２６】
以上、実施の形態を挙げて本発明を説明したが、上記の説明は、本発明の理解を助けるものであって、本発明の特許請求の範囲を制限するものではない。従って、本発明の要旨を逸脱しない限り、種々変形が可能であり、本発明の目的を達し、効果を奏する範囲において、適宜変更することが可能である。
【００２７】
上記実施の形態では、ルータ１２４が、測定パラメータの値が閾値を超えた場合に「ルータ→ＣＡ（ＳＳ）規制要求信号」を送出するようにしたが、前述の５つの要求信号のうちの１つの要求信号を送出するようにしてもよいし、２以上の要求信号を送出するようにしてもよい。また、特定の測定パラメータが閾値を超えた場合にのみ１つの要求信号を送出するようにしてもよいし、予め測定パラメータ毎に要求信号を割り当てておき、測定パラメータ毎に要求信号を送出するようにしてもよい。また、前記「ルータ→ＣＡ（ＳＳ）規制要求信号」は５つの要求信号に限定されるものではなく、要求信号に基づいて輻輳規制が設定される限り、その種類（数）の制限はない。
【００２８】
また、上記実施の形態では、ＣＡ（ＳＳ）１１２が、輻輳規制の設定及び転送規制を実施するようにしたが、ＰＳＴＮ網１とＩＰ網２との間で相互接続を行っているＣＡ（ＧＷ）１１１またはＭＧ１１３が実施するようにしてもよい。
【００２９】
また、上記実施の形態では、ＣＡ（ＳＳ）１１２が、ルータ１２４から「ルータ→ＣＡ（ＳＳ）規制要求信号」を受信することによって輻輳規制の設定を行うようにしたが、いくつかの異なる輻輳規制の設定パターンが固定的に決まっている場合や、ＣＡ（ＳＳ）１１２において設定変更の処理能力が足りない場合には、予め設定パターンを作成しておき、「ルータ→ＣＡ（ＳＳ）規制要求信号」を受信したときに、予め作成しておいた設定パターンに差し替えるようにしてもよい。
【００３０】
また、上記実施の形態では、輻輳制御信号である「ルータ→ＣＡ（ＳＳ）規制要求信号」を５つの信号としたが、必ずしも全ての信号を用いる必要はなく、そのうちの１つまたは一部の信号を用いるようにしてもよい。
【００３１】
また、上記実施の形態では、ＣＡ（ＳＳ）１１２が、ルータ１２４から送出された「ルータ→ＣＡ（ＳＳ）規制要求信号」の種類に基づいて輻輳制御を実施するようにしたが、予め用意した自己の設定条件に従って、要求される輻輳制御のうちの全部または一部に限定して実施するようにしてもよい。例えば、要求信号（１）を受信した場合には、受信した呼について当該ルータ１２４を経由しないと接続不可能な場合には、当該呼を廃棄する、または別のルータへ転送するように輻輳規制の設定を実施するが、さらに、特定の呼のみを許容する等の予め用意した設定条件を加えて、輻輳規制の設定を実施するようにしてもよい。また、複数の要求信号を受信した場合においても、どの要求信号を優先するかまたはどのように要求信号を組み合せるか等が定義された設定条件に従って、輻輳規制の設定を実施するようにしてもよい。
【００３２】
また、上記実施の形態では、ルータ１２１〜１２４が、輻輳を検出して輻輳制御信号をＣＡ（ＳＳ）１１２へ送信し、ＣＡ（ＳＳ）１１２が、輻輳制御信号を受信して当該信号に基づいて輻輳規制の設定を実施し、呼の転送規制を実施するようにしたが、これらの全部の機能または一部の機能を他の制御サーバが実現するようにしてもよい。例えば、ルータ１２１〜１２４が輻輳を検出し、制御サーバが輻輳制御信号をＣＡ（ＳＳ）１１２へ送信するようにしてもよい。また、ＣＡ（ＳＳ）１１２の代わりに、制御サーバが輻輳規制の設定を実施するようにしてもよい。
【００３３】
また、上記実施の形態では、ＣＡ（ＳＳ）１１２が、輻輳制御の設定を実施し完了したタイミング等で「ＣＡ（ＳＳ）規制設定完了信号」をルータ１２４へ送出し、ＣＡ（ＳＳ）１１２が、輻輳制御の設定を解除したタイミングで、「ＣＡ（ＳＳ）規制解除完了信号」をルータ１２４へ送出するようにした。この場合、ＣＡ（ＳＳ）１１２及びルータ１２４において信号の送受信の信頼性が十分に高いときには、前記完了信号を送出しなくてもよい。
【００３４】
尚、上記のルータ１２１〜１２４、ＣＡ（ＳＳ）１１２、ＣＡ（ＧＷ）１１１及びＭＧ１１３は、ＣＰＵ、ＲＡＭ等の揮発性の記憶媒体、ＲＯＭ等の不揮発性の記憶媒体、キーボードやポインティングデバイス等の入力装置、画像やデータを表示するモニタ装置、及び外部の装置と通信をするためのインタフェースを備えたコンピュータ装置によってそれぞれ構成されるようにしてもよい。この場合、ルータ１２１〜１２４、ＣＡ（ＳＳ）１１２、ＣＡ（ＧＷ）１１１及びＭＧ１１３における各機能は、当該機能を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【図面の簡単な説明】
【００３５】
【図１】背景技術としての音声通信ネットワークを示すシステム構成図である。
【図２】従来のルータにおける輻輳制御を説明する機能ブロック図である。
【図３】本発明の概要を説明する図である。
【図４】「ルータ→ＣＡ（ＳＳ）規制要求信号」を説明する図である。
【符号の説明】
【００３６】
１，１０１  ＰＳＴＮ網
２，１０２  ＩＰ網
１１，１１１  ＣＡ（ＧＷ）
１２，１１２  ＣＡ（ＳＳ）
１３，１１３  ＭＧ
２１〜２４，１２１〜１２４  ルータ
３１，１３１  ＨＧＷ
３２，１３２  ＶｏＩＰ−ＴＡ
４１，４２，１４１，１４２  電話機
【図１】
2005311593.tif 000003
【図２】
2005311593.tif 000004
【図３】
2005311593.tif 000005
【図４】
2005311593.tif 000006